(57)【要約】【課題】ユーザのアドレス登録の手間を軽減することを目的とする。【解決手段】画像処理装置であって、モバイル端末より受信した送信設定から宛先情報を取得する取得手段と、取得手段により取得された宛先情報を送信先のアドレスとして画像処理装置のアドレス帳に登録する登録手段と、画像を処理した結果のデータを送信先のアドレスに送信する送信手段と、を有する。【選択図】図８
2019213087.tif 000002
【特許請求の範囲】
【請求項１】
画像処理装置であって、
モバイル端末より受信した送信設定から宛先情報を取得する取得手段と、
前記取得手段により取得された前記宛先情報を送信先のアドレスとして前記画像処理装置のアドレス帳に登録する登録手段と、
画像を処理した結果のデータを前記送信先のアドレスに送信する送信手段と、
を有する画像処理装置。
【請求項２】
前記宛先情報の保存方法を設定する設定手段を更に有し、
前記設定手段により前記保存方法として自動が設定されていた場合、前記登録手段は、前記宛先情報を送信先のアドレスとして前記画像処理装置の前記アドレス帳に自動で登録する請求項１記載の画像処理装置。
【請求項３】
前記設定手段により前記保存方法として手動が設定されていた場合、前記宛先情報を含む登録の設定画面を表示する表示手段を更に有し、
前記設定画面において登録が選択された場合、前記登録手段は、前記宛先情報を送信先のアドレスとして前記画像処理装置の前記アドレス帳に登録する請求項２記載の画像処理装置。
【請求項４】
前記登録手段は、画面遷移の情報に基づき前記アドレスのアドレス種別を判定し、判定した前記アドレス種別と共に前記宛先情報を送信先のアドレスとして前記画像処理装置の前記アドレス帳に登録する請求項１乃至３何れか１項記載の画像処理装置。
【請求項５】
前記登録手段は、Ｅメール送信画面から前記画像処理装置と前記モバイル端末とが無線接続するための画面に遷移した場合、前記アドレス種別をＥメールと判定し、判定した前記アドレス種別と共に前記宛先情報を送信先のアドレスとして前記画像処理装置の前記アドレス帳に登録する請求項４記載の画像処理装置。
【請求項６】
前記登録手段は、Ｉファクス送信画面から前記画像処理装置と前記モバイル端末とが無線接続するための画面に遷移した場合、前記アドレス種別をＩファクスと判定し、判定した前記アドレス種別と共に前記宛先情報を送信先のアドレスとして前記画像処理装置の前記アドレス帳に登録する請求項４記載の画像処理装置。
【請求項７】
前記登録手段は、前記取得手段により取得された前記宛先情報が電話番号の場合は、前記画面遷移の情報によらず、前記アドレス種別をファクシミリと判定し、判定した前記アドレス種別と共に、前記宛先情報を送信先のアドレスとして前記画像処理装置の前記アドレス帳に登録する請求項４乃至６何れか１項記載の画像処理装置。
【請求項８】
前記登録手段により前記アドレス帳に登録された前記送信先のアドレスを前記モバイル端末に送信する送信手段を更に有する請求項１乃至７何れか１項記載の画像処理装置。
【請求項９】
前記取得手段は、前記モバイル端末より受信した、前記宛先情報を登録するか否かを示した登録情報を更に取得し、
前記登録手段は、前記登録情報が前記宛先情報を登録することを示している場合、前記宛先情報を送信先のアドレスとして前記画像処理装置のアドレス帳に登録し、前記登録情報が前記宛先情報を登録しないことを示している場合、前記宛先情報を前記画像処理装置のアドレス帳への登録しないことを特徴とする請求項１乃至８何れか１項記載の画像処理装置。
【請求項１０】
画像処理装置が実行する情報処理方法であって、
モバイル端末より受信した送信設定から宛先情報を取得する取得工程と、
前記取得工程により取得された前記宛先情報を送信先のアドレスとして前記画像処理装置のアドレス帳に登録する登録工程と、
画像を処理した結果のデータを前記送信先のアドレスに送信する送信工程と、
を含む情報処理方法。
【請求項１１】
コンピュータを、請求項１乃至９何れか１項記載の画像処理装置の各手段として機能させるためのプログラム。
【発明の詳細な説明】
【技術分野】
【０００１】
本発明は、画像処理装置、情報処理方法及びプログラムに関する。
【背景技術】
【０００２】
スキャナで読み込んだ原稿を電子データ化し、送信宛先に送信する機能を持つ画像形成装置が普及している。ユーザが希望する送信先が画像形成装置のアドレス帳に登録されていない場合、ユーザは画像形成装置のＵＩ画面から送信宛先をキーボードで入力したり、モバイル端末のアドレス帳から送信宛先を指定したりする。そして、画像形成装置は、電子データ化した原稿を送信宛先に送信する。
モバイル端末のアドレス帳から送信宛先を指定する方法は、画像形成装置のＵＩ画面から送信宛先をキーボードで入力する方法に比べてユーザの手間が少ない。また、近年、営業活動では、営業員がモバイル端末を持って営業活動を行い、モバイル端末に顧客連絡先等の顧客情報を蓄積することが増えている。更に、モバイル端末の顧客情報は、日々の営業活動を通じて、常に最新情報が蓄えられている。そのため、モバイル端末のアドレス帳から送信宛先を指定する方法が注目されている。
モバイル端末のアドレス帳から画像形成装置に送信宛先を設定する方法として、特許文献１が開示されている。
【先行技術文献】
【特許文献】
【０００３】
【特許文献１】特開２０１６−１６７７６４号公報
【発明の概要】
【発明が解決しようとする課題】
【０００４】
特許文献１の方法は、モバイル端末から画像形成装置に送信先を設定し、送信ジョブを実行する。そして、送信ジョブが送信成功した場合、送信先を含んだジョブ設定を画像形成装置の再利用可能なジョブ設定履歴に残すか否かをユーザに選択させる手法である。本手法によれば、他のユーザにジョブ設定を流用されないため、ユーザのプライバシーが守られるメリットがある。しかし、ユーザのアドレス帳登録の手間を減らすことはできない。
【課題を解決するための手段】
【０００５】
本発明は、画像処理装置であって、モバイル端末より受信した送信設定から宛先情報を取得する取得手段と、前記取得手段により取得された前記宛先情報を送信先のアドレスとして前記画像処理装置のアドレス帳に登録する登録手段と、画像を処理した結果のデータを前記送信先のアドレスに送信する送信手段と、を有する。
【発明の効果】
【０００６】
本発明によれば、ユーザのアドレス登録の手間を軽減することができる。
【図面の簡単な説明】
【０００７】
【図１】情報処理システムのシステム構成の一例を示す図である。
【図２】画像形成装置のハードウェア構成の一例を示す図である。
【図３】モバイル端末のハードウェア構成の一例を示す図である。
【図４】モバイル端末の操作パネルに表示される画面を示す図である。
【図５】画像形成装置のディスプレイに表示される画面を示す図である。
【図６】アドレス帳データを示す図（その１）である。
【図７】実施形態１のモバイル端末の情報処理の一例を示すフローチャートである。
【図８】実施形態１の画像形成装置の情報処理の一例を示すフローチャートである。
【図９】アドレス帳データを示す図（その２）である。
【図１０】モバイル端末の送信設定画面を示す図である。
【図１１】実施形態２のモバイル端末の情報処理の一例を示すフローチャートである。
【図１２】実施形態２の画像形成装置の情報処理の一例を示すフローチャートである。
【発明を実施するための形態】
【０００８】
以下、本発明の実施形態について図面に基づいて説明する。
【０００９】
＜実施形態１＞
図１は、情報処理システムのシステム構成の一例を示す図である。図１において、モバイル端末１０１、画像形成装置１０２、アクセスポイント１０３はＷｉ−Ｆｉ（登録商標）通信により通信ができる。画像形成装置は、画像処理装置の一例である。
モバイル端末１０１と画像形成装置１０２とは、アクセスポイント１０３経由でＷｉ−Ｆｉインフラモードで接続し、通信を行うことができる。また、画像形成装置１０２自身をソフトアクセスポイントモードで動作させ、モバイル端末１０１とダイレクトＷｉ−Ｆｉ接続でアクセスポイント１０３を使わずに直接接続して通信を行うこともできる。
【００１０】
図２は、画像形成装置１０２のハードウェア構成の一例を示す図である。
画像形成装置１０２は、ＲＯＭ２０２又はＨＤＤ２１３に記憶されたプログラムを実行するＣＰＵ２０１を備え、ＣＰＵ２０１はシステムバス２１６に接続される各デバイスを総括的に制御する。ＨＤＤ２１３は記憶領域であり、画像形成装置１０２のプログラム、各種設定、アドレス帳のデータ等を保持する。ＨＤＤ２１３は画像の一時記憶場所としても利用することができる。
ＲＡＭ２０３は、ＣＰＵ２０１の主メモリ、ワークエリア等として機能する。操作部コントローラー２０８は、画像形成装置１０２に備えられた各種ボタン又は操作パネル２０９、ディスプレイ２１１等を制御する。ディスクコントローラ２１２は、ＨＤＤ２１３を制御する。
ネットワークＩ／Ｆ２０７は、ネットワーク２２０を介して、他のネットワーク機器又はファイルサーバ等と双方向にデータをやりとりする。
インフラモードで動作する場合は、無線ＬＡＮＩ／Ｆ２０６は、アクセスポイントを介してネットワーク２２０に接続し、他のネットワーク機器又はファイルサーバ等と双方向にデータをやりとりする。ソフトアクセスポイントモードで動作する場合は、画像形成装置１０２はアクセスポイントとして動作し、無線ＬＡＮＩ／Ｆ２０６は、モバイル端末１０１と直接無線通信接続することができる。
プリンタ２１４は、電子写真方式で実現される、紙への印字部である。印字方式は、特に電子写真方式でなくてもよい。
スキャナ２１５は、紙に印字された画像を読み込むための画像読み取り部である。多くの場合、スキャナ２１５にはオプションとしてＡＤＦ（オートドキュメントフィーダ）が装着されており、複数枚の原稿を自動的に読み込むことができる。本実施形態の、画像形成装置１０２は、スキャナ２１５で原稿を読み取って得られた画像データをユーザにより指定された宛先（Ｅメールアドレスや共有フォルダ等）に送信する送信機能を有する。送信に使用するネットワークは無線ネットワークであってもよいし、有線ネットワークであってもよい。
なお、本実施形態では送信の方法は一例であり、画像形成装置１０２がファクシミリインタフェースを有している場合は、ファクシミリ通信で画像データを送信することもできる。
画像形成装置１０２は非接触式ＩＣカードのＮＦＣリーダライタ２０４、及びＢｌｕｅｔｏｏｔｈ（登録商標）  Ｉ／Ｆ２０５を介して各種周辺機器とデータの授受を行うことができる。Ｂｌｕｅｔｏｏｔｈに関しては、近年省電力通信を行うＢｌｕｅｔｏｏｔｈ  Ｌｏｗ  Ｅｎｅｒｇｙ（以下、ＢＬＥという）に対応したものも普及し始めている。
【００１１】
図３は、モバイル端末１０１のハードウェア構成の一例を示す図である。本実施形態のモバイル端末１０１はスマートフォンやタブレットＰＣ等の装置を想定しているが、Ｗｉ−Ｆｉ通信が可能な情報処理装置であれば他の装置であってもよい。
ＣＰＵ３０７は、ＲＯＭ３０８が記憶しているプログラムを読み出して、モバイル端末１０１の動作を制御するための様々な処理を実行する。ＲＯＭ３０８は、プログラムを記憶している。ＲＡＭ３０９は、ＣＰＵ３０７の主メモリ、ワークエリア等の一時記憶領域として用いられる。ＨＤＤ３１０は、アドレス帳や写真等の様々なデータを記憶する。
操作パネル３０１は、ユーザのタッチ操作を検出可能なタッチパネル機能を備え、ＯＳやＥメール送信アプリケーションが提供する各種画面を表示する。ユーザは操作パネル３０１にタッチ操作を入力することで、モバイル端末１０１に所望の操作指示を入力することができる。モバイル端末１０１はハードウェアキーを備えていて、ユーザはこのハードウェアキーを用いてモバイル端末１０１に操作指示を入力することができる。
カメラ３０４は、ユーザの撮像指示に応じて撮像する。カメラ３０４で撮像された写真は、ＨＤＤ３１０の所定の領域に記憶される。また、ＣＰＵ３０７は、ＱＲコード（登録商標）解析が可能なプログラムに基づき、カメラ３０４で読み取ったＱＲコードから情報を取得することもできる。
モバイル端末１０１は、ＮＦＣ  Ｉ／Ｆ３０５、Ｂｌｕｅｔｏｏｔｈ  Ｉ／Ｆ３０６、無線ＬＡＮ  Ｉ／Ｆ３１１を介して各種周辺機器とデータの授受を行うことができる。
【００１２】
図４（Ａ）、（Ｂ）は、モバイル端末１０１の操作パネル３０１に表示される画面を示す図である。
図４（Ａ）は送信設定画面である。宛先表示部４０１は、メインの送信宛先（以下、Ｔｏ宛先という）のメールアドレスを表示する領域である。アドレス帳参照ボタン４０２は、モバイル端末１０１のアドレス帳を参照しＴｏ宛先のメールアドレスを指定するためのボタンである。ユーザがアドレス帳参照ボタン４０２を選択すると、モバイル端末１０１のアドレス帳画面が表示され、ユーザはアドレスを選択できる。
宛先表示部４０３は、メイン以外の送信宛先（以下、Ｃｃ宛先という）のメールアドレスを表示する領域である。アドレス帳参照ボタン４０４は、モバイル端末１０１のアドレス帳を参照しＣｃ宛先のメールアドレスを指定するためのボタンである。ユーザがアドレス帳参照ボタン４０４を選択すると、モバイル端末１０１のアドレス帳画面が表示され、アドレスを選択できる。
ここでは、送信アプリケーションは、モバイル端末１０１のアドレス帳アプリケーションをインテント等の機能で呼び出し、アドレス帳アプリケーションで選択された宛先を受信して、送信先として設定するものとする。
なお、通信相手先の画像形成装置がファクシミリ機能を有している場合、ボタン４０２やボタン４０４を介して電話番号等の宛先も指定できるように構成する。
相手先の画像形成装置がファクシミリ機能を有していない場合、電子メール形式のアドレスを選択したいことをアドレス帳アプリケーションに引数として伝え、Ｅメールアドレスのみが選択されるよう制御する。また、相手先の画像形成装置がファクシミリ機能を有している場合、電子メール形式のアドレス又は電話番号を選択したいことをアドレス帳アプリケーションに引数として伝え、Ｅメールアドレス又は電話番号が選択されるよう制御する。
件名表示部４０５は、件名を入力するフィールドである。ユーザが件名表示部４０５をタッチするとソフトキーボードが表示され、ユーザは任意の文字を入力できる。
ファイル名表示部４０６は、原稿をスキャンして電子データ化したファイルのファイル名を入力するフィールドである。ユーザがファイル名表示部４０６をタッチするとソフトキーボードが表示され、ユーザは任意の文字を入力できる。
本文表示部４０７は、本文を入力するフィールドである。ユーザが本文表示部４０７をタッチするとソフトキーボードが表示され、ユーザは任意の文字を入力できる。なお、宛先として電話番号が指定されている場合、件名や本文等の項目はファクシミリのカバーシートを作成するために用いられるものとする。
完了ボタン４０８は、本画面の設定が完了し、画像形成装置１０２に送信設定を送信する場合に選択される。
【００１３】
図４（Ｂ）は、メッセージ画面である。メッセージ画面は、完了ボタン４０８選択後に画像形成装置１０２に送信設定を送信完了後に表示される。
メッセージ領域４１０は、ユーザへのメッセージ表示領域である。図４（Ｂ）の例では、「設定を送信完了しました」ことと「顧客１と上司の送信先がアドレス帳に登録された」こととが表示されている。確認ボタン４１１は、ユーザがメッセージを確認した後に選択されるボタンである。確認ボタン４１１が選択されると、図４（Ａ）に戻る。
本実施形態では示していないが、図４（Ａ）の送信設定画面の設定値には、画像形成装置１０２で原稿をスキャンする際のスキャン設定、例えば解像度やカラーモード等もモバイル端末１０１から設定可能にしてもよい。
【００１４】
図５は、画像形成装置１０２のディスプレイ２１１に表示される画面を示す図である。
図５（Ａ）は、ホーム画面５０１を示した図である。ボタン表示領域５１１は、画像形成装置１０２が有する機能を呼び出すボタンである。ホーム画面５０１では、アドレス帳ボタン５１２、スキャンボタン５１３、コピーボタン５１４の３つが表示されている。アドレス帳ボタン５１２は、画像形成装置１０２のアドレス帳のデータを操作するためのボタンである。アドレス帳ボタン５１２が選択されるとアドレス帳管理画面が表示され、アドレス情報の登録、削除、編集が可能である。スキャンボタン５１３は、スキャナ２１５を使って原稿を読み込んだ後、電子データ化したデータを送信するためのボタンである。コピーボタン５１４は、スキャナ２１５を使って原稿を読み込んだ後、電子データ化した画像データをプリンタ２１４で印刷するためのボタンである。
図５（Ｂ）は、スキャン画面５２０を示した図である。スキャン画面５２０は、スキャンボタン５１３が選択されると表示される。ボタン表示領域５２１は、送信方法を指定するための３つのボタンとメッセージ領域５２２とで構成される。メッセージ領域５２２は、ユーザへのメッセージを表示する領域である。図５（Ｂ）の例では、「スキャンの種類を選択してください。」というメッセージが表示され、Ｅメールボタン５２３、Ｉファクスボタン５２４、ファイルボタンの何れかを選択するようにユーザに指示している。Ｅメールボタン５２３は、Ｅメール形式でＳＭＴＰプロトコルを用いて画像データを送信する場合に選択される。Ｉファクスボタン５２４は、Ｉファクス形式でＳＭＴＰプロトコルを用いて画像データを送信する場合に選択される。ファイルボタンは、ＦＴＰ及びＳＭＢプロトコルを用いて電子データを送信する場合に選択される。
【００１５】
図５（Ｃ）は、Ｅメール送信画面５３０を示した図である。Ｅメール送信画面５３０は、Ｅメールボタン５２３を選択すると表示される。ボタン表示領域５３１は、宛先表示領域５３２、宛先設定５３３、送信設定５３４、リセットボタン５３５、白黒スタートボタン５３６、カラースタートボタン５３７を含む。宛先表示領域５３２は、Ｔｏ宛先、Ｃｃ宛先等の送信先アドレスを表示する領域である。モバイル端末のアドレス帳から指定されたアドレスが宛先表示領域５３２に表示される。宛先設定５３３は、送信先アドレスを入力及び選択するためのボタンである。宛先設定５３３は、キーボード入力ボタン、アドレス帳ボタン、モバイルポータルボタン５３８を含む。キーボード入力ボタンは、ソフトキーボードを使って宛先を入力する場合に選択されるボタンである。アドレス帳ボタンは、画像形成装置のアドレス帳から宛先指定画面を使って送信先アドレスを選択する場合に選択されるボタンである。なお、アドレス帳から選択可能な送信先アドレスは、アドレス種別がＥメールのアドレスに限られる。アドレス種別については、図６で説明する。モバイルポータルボタン５３８は、モバイル端末１０１のアドレス帳から送信先アドレスを選択する場合に選択されるボタンである。送信設定５３４は、画像形成装置１０２で原稿をスキャンする際のスキャン設定、例えば解像度やカラーモード等を設定するためのボタンにより構成される。リセットボタン５３５は、ボタン表示領域５３１で設定した内容を初期状態に戻すために選択されるボタンである。白黒スタートボタン５３６は、原稿をモノクロの電子データとして読み取って送信する場合に選択されるボタンである。カラースタートボタン５３７は、原稿をカラーの電子データとして読み取って送信する場合に選択されるボタンである。
【００１６】
図５（Ｄ）は、Ｉファクス送信画面５４０を示した図である。Ｉファクス送信画面５４０は、Ｉファクスボタン５２４を選択すると表示される。ボタン表示領域５４１は、宛先表示領域５４２、宛先設定５４３、送信設定５４４、リセットボタン５４５、白黒スタートボタン５４６を含む。宛先表示領域５４２は、Ｔｏ宛先、Ｃｃ宛先等の送信先アドレスを表示する領域である。モバイル端末のアドレス帳から指定されたアドレスが宛先表示領域５４２に表示される。宛先設定５４３は、送信先アドレスを入力及び選択するためのボタンである。宛先設定５４３は、キーボード入力ボタン、アドレス帳ボタン、モバイルポータルボタン５４８により構成される。キーボード入力ボタンは、ソフトキーボードを使って宛先を入力する場合に選択されるボタンである。アドレス帳ボタンは、画像形成装置のアドレス帳から宛先指定画面を使って送信先アドレスを選択する場合に選択されるボタンである。なお、アドレス帳から選択可能な送信先アドレスは、アドレス種別がＩファクスのアドレスに限られる。アドレス種別については、図６で説明する。モバイルポータルボタン５４８は、モバイル端末１０１のアドレス帳から送信先アドレスを選択する場合に選択されるボタンである。送信設定５４４は、画像形成装置１０２で原稿をスキャンする際のスキャン設定、例えば解像度やカラーモード等を設定するためのボタンを含む。リセットボタン５４５は、ボタン表示領域５４１で設定した内容を初期状態に戻すために選択されるボタンである。白黒スタートボタン５４６は、原稿をモノクロの電子データとして読み取って送信する場合に選択されるボタンである。
【００１７】
図５（Ｅ）は、モバイルポータル画面５５０を示した図である。モバイルポータル画面５５０は、モバイルポータルボタン５３８又はモバイルポータルボタン５４８を選択すると表示される。モバイルポータル画面５５０はモバイル端末１０１と画像形成装置１０２とがＷｉ−Ｆｉ接続するための画面である。Ｗｉ−Ｆｉ接続は、無線接続の一例である。
ボタン表示領域５５１は、メッセージ領域であり、ユーザにモバイル端末１０１から接続する指示と、画像形成装置１０２との接続に必要な情報を含んだＱＲコードとが表示される。モバイル端末１０１はＱＲコードを読み取ることにより、Ｗｉ−Ｆｉダイレクト接続であればＳＳＩＤとＫＥＹとを自動取得し、Ｗｉ−Ｆｉダイレクトのネットワークにハンドオーバーして画像形成装置１０２と通信可能な状態にすることができる。またモバイル端末１０１はＷｉ−Ｆｉインフラ接続であれば、画像形成装置１０２のＩＰアドレスを自動取得し、画像形成装置１０２とペアリングを行って接続先を決定することができる。
画像形成装置１０２でＮＦＣリーダライタ２０４が使用可能な状態になっていれば、モバイル端末１０１は、上述したＱＲコードにより取得可能な情報と同じ情報を、ＮＦＣ通信機能を用いて取得し、Ｗｉ−Ｆｉ接続を行うことができる。
同様に、画像形成装置１０２でＢｌｕｅｔｏｏｔｈＩ／Ｆ２０５が使用可能な状態になっていれば、モバイル端末１０１は、同じ情報を、モバイル端末１０１のＢＬＥ通信機能を用いて取得し、Ｗｉ−Ｆｉ接続を行うことができる。
【００１８】
図５（Ｆ）は、送信アドレスの保存設定画面５６０を示した図である。送信アドレスの保存設定画面５６０は画像形成装置１０２の設定を変更するための画面である。
保存方法指定領域５６１は送信アドレスの保存方法を指定する領域であり、「自動」、「手動」、「しない」の３つの選択肢の中から何れかが選択可能である。「自動」は送信アドレスを画像形成装置１０２のアドレス帳に自動的に保存する設定である。「手動」は送信アドレスをユーザが確認後に保存する設定である。「しない」は送信アドレスを保存しない設定である。図５（Ｆ）では、「自動」が選択されている。
【００１９】
図５（Ｇ）は、送信アドレスの保存画面５７０を示した図である。アドレス種別領域５７１は、アドレス種別を設定する領域である。ユーザがアドレス種別領域５７１を選択すると、アドレス種別画面が表示され、「Ｅメール」、「Ｉファクス」、「ファイル」の中から一つが選択可能である。名称領域５７２は、名称を設定する領域である。ユーザが名称領域５７２を選択すると、ソフトキーボードが表示され、キーボード入力により名称を設定できる。アドレス領域５７３は、アドレスを設定する領域である。ユーザがアドレス領域５７３を選択すると、ソフトキーボードが表示され、キーボード入力によりアドレスを設定できる。番号領域５７４は、アドレス帳に登録するときのアドレス番号を設定する領域である。ユーザが番号領域５７４を選択すると、番号選択画面が表示され、１〜１００の中から任意の番号が選択可能である。但し、既にアドレス登録済の番号は選択できない。後述の図６（Ｂ）の例で説明すると、１〜５番は既にアドレス登録済であるため選択できない。キャンセルボタン５７５は、送信アドレスの保存を行わない場合に選択されるボタンである。登録ボタン５７６は、送信アドレスの保存を行うときに選択されるボタンである。登録ボタン５７６が選択されると、アドレス種別領域５７１、名称領域５７２、アドレス領域５７３、番号領域５７４に設定した内容で画像形成装置１０２のアドレス帳に登録される。
【００２０】
Ｅメール形式とＩファクス形式とについて補足する。Ｅメール形式とはＩＥＴＦ（Ｉｎｔｅｒｎｅｔ  Ｅｎｇｉｎｅｅｒｉｎｇ  Ｔａｓｋ  Ｆｏｒｃｅ）により標準化されたＲＦＣ５３２２に準拠した送信形式である。Ｉファクス形式とは、インターネットファックス（国際標準ＩＴＵ−Ｔ  Ｔ．３７勧告）に準拠した送信形式である。Ｅメール形式とＩファクス形式とでは、送信先アドレスとしてＥメールアドレスを指定する。一方、Ｅメール形式とＩファクス形式とでは、メールヘッダやメール本文等に関する規約が異なる部分がある。一例をあげると、Ｉファクス形式では画像データはＴＩＦＦフォーマットにされて送信されるが、Ｅメール形式では、ＴＩＦＦフォーマット以外（ＪＰＥＧフォーマット、又はＰＤＦフォーマット等）を利用可能である。これは、Ｉファクス形式が、インターネットを利用したファクス送信として位置付けられているため、受信側で印刷可能とすべきフォーマットをＴＩＦＦとしているためである。そのため、画像形成装置は、Ｉファクス形式のデータは印刷可能であるが、Ｅメール形式のデータは印刷不可能であることも多い。
【００２１】
図６は、アドレス帳データを示す図である。
図６（Ａ）は、モバイル端末１０１のアドレス帳データである。モバイル端末１０１のアドレス帳データは、１００件のアドレスが保持可能であり、１００件のアドレスそれぞれに名称とアドレスとが設定可能である。図６（Ａ）の例では、顧客１と上司との２件のアドレスが設定されている。なお、本実施形態では、アドレスの一例としてＥメールアドレスを例示しているがこれに限定されるものではない。例えば、Ｅメールアドレスに加えて、ファクシミリ通信に使用する電話番号等も設定されていてもよい。
図６（Ｂ）は、画像形成装置１０２のアドレス帳データである。画像形成装置１０２のアドレス帳データは、１００件のアドレスが保持可能であり、１００件のアドレスそれぞれにアドレス種別、名称、アドレスが設定可能である。図６（Ｂ）の例では、ｉＦａｘ００１、ｉＦａｘ００２、ｉＦａｘ００３、Ｅｍａｉｌ００１、Ｅｍａｉｌ００２の５件のアドレスが設定されている。アドレス種別は受信側の能力を示しており、アドレス種別がＩファクスの場合はＩファクス形式でデータを受信する能力があること示している。また、アドレス種別がＥメールの場合はＥメール形式でデータを受信する能力があることを示している。
【００２２】
実施形態１の説明を行う。実施形態１では、モバイル端末１０１から画像形成装置１０２に送信先を指定する。そして、画像形成装置１０２がＥメール送信画面で送信先を受信したときは、アドレス種別をＥメールとして画像形成装置のアドレス帳に登録する。また、画像形成装置１０２がＩファクス送信画面で送信先を受信したときは、アドレス種別をＩファクスとして画像形成装置のアドレス帳に登録する。
実施形態１においては、モバイル端末１０１は、ＮＦＣ通信を使って画像形成装置１０２からＷｉ−Ｆｉダイレクト接続に必要なＳＳＩＤとキーとを取得し、接続を確立するものとして説明を行う。
【００２３】
図７と図８とは実施形態１の情報処理を説明するフローチャートである。
図７は、モバイル端末１０１の情報処理の一例を示すフローチャートである。図７のフローチャートを実行するプログラムはＲＯＭ３０８に格納されている。ＣＰＵ３０７がＲＯＭ３０８に格納されているプログラムを実行することにより、本フローチャートの処理が実行される。
Ｓ７０１にて、ＣＰＵ３０７は、送信設定画面（図４（Ａ））でユーザによって入力された送信設定を受け取る。より具体的に説明すると、ＣＰＵ３０７は、送信設定画面（図４（Ａ））を操作パネル３０１に表示する。ここで、ユーザはアドレス帳参照ボタン４０２を選択して、図６（Ａ）のアドレス帳のデータから番号００１のメールアドレスを選択する。番号００１のメールアドレスはｃｕｓｔｏｍｅｒ１＠ｅｘａｍｐｌｅ．ｃｏｍである。すると、ＣＰＵ３０７は、宛先表示部４０１にＴｏ宛先として顧客１＜ｃｕｓｔｏｍｅｒ１＠ｅｘａｍｐｌｅ．ｃｏｍ＞を表示する。更に、ユーザはアドレス帳参照ボタン４０４を選択して、図６（Ａ）のアドレス帳のデータから番号００２のメールアドレスを選択する。番号００２のメールアドレスはｂｏｓｓ＠ｅｘａｍｐｌｅ．ｃｏｍである。すると、ＣＰＵ３０７は、宛先表示部４０３にＣｃ宛先として上司＜ｂｏｓｓ＠ｅｘａｍｐｌｅ．ｃｏｍ＞を表示する。
続いて、ユーザはソフトキーボードを使って、件名表示部４０５に「資料送付します」、ファイル名表示部４０６に「資料」、本文表示部４０７に「打ち合わせの資料を送ります」と設定する。ＣＰＵ３０７は、件名表示部４０５、ファイル名表示部４０６、本文表示部４０７にそれぞれユーザが入力した文字列を表示し、Ｓ７０２に進む。
Ｓ７０２にて、ＣＰＵ３０７は、ユーザが完了ボタン４０８を選択するのを待つ。ＣＰＵ３０７は、完了ボタン４０８が選択されると、Ｓ７０３に進む。
Ｓ７０３にて、ＣＰＵ３０７は、モバイル端末１０１を画像形成装置１０２とのＮＦＣによる接続待ち状態にする。より具体的には、ＣＰＵ３０７は、画像形成装置１０２のＮＦＣリーダライタ２０４からＳＳＩＤとキーとを取得できる状態にして待機する。
【００２４】
Ｓ７０４にて、ＣＰＵ３０７は、ユーザがモバイル端末１０１を画像形成装置１０２のＮＦＣリーダライタ２０４にタッチするのを待つ。ＣＰＵ３０７は、画像形成装置１０２のＮＦＣリーダライタ２０４にタッチしたと判定するとＳ７０５に進む。
Ｓ７０５にて、ＣＰＵ３０７は、画像形成装置１０２からＷｉ−Ｆｉダイレクト接続のためのＳＳＩＤとキーとを取得しハンドオーバーを実行する。ＣＰＵ３０７は、画像形成装置１０２とのＷｉ−Ｆｉダイレクトでの無線通信が確立するとＳ７０６へ進む。
Ｓ７０６にて、ＣＰＵ３０７は、Ｓ７０１でユーザが設定した送信設定を画像形成装置１０２に送信する。送信設定は、Ｔｏ宛先、Ｃｃ宛先、件名、ファイル名、本文を含む。ここでは一例として、ユーザにより以下の送信設定がなされている場合を例に説明する。まず、Ｔｏ宛先には「顧客１＜ｃｕｓｔｏｍｅｒ１＠ｅｘａｍｐｌｅ．ｃｏｍ＞」が設定されている。Ｃｃ宛先には「上司＜ｂｏｓｓ＠ｅｘａｍｐｌｅ．ｃｏｍ＞」が設定されている。件名には「資料送付します」が設定されている。ファイル名には「資料」が設定されている。本文は「打ち合わせの資料を送ります」と設定されている。なお、相手先の画像形成装置１０２がファクシミリ機能を有している場合は、Ｔｏ宛先や、Ｃｃ宛先にファクシミリ番号を設定することもできる。ＣＰＵ３０７は、送信処理が完了すると、Ｓ７０７に進む。
Ｓ７０７にて、ＣＰＵ３０７は、画像形成装置１０２からリプライを受信するのを待つ。ＣＰＵ３０７は、リプライを受信すると、Ｓ７０８に進む。
Ｓ７０８にて、ＣＰＵ３０７は、メッセージ画面（図４（Ｂ））を操作パネル３０１に表示し、送信設定を送信完了したことと、画像形成装置１０２のアドレス帳に登録された送信先と、をユーザに通知して、図７に示すフローチャートの処理を終了する。
【００２５】
図８は、画像形成装置１０２の情報処理の一例を示すフローチャートである。図８のフローチャートを実行するプログラムは画像形成装置１０２のＲＯＭ２０２に格納されている。ＣＰＵ２０１がＲＯＭ２０２に格納されているプログラムを実行することにより、本フローチャートの処理が実行される。
Ｓ８０１にて、ＣＰＵ２０１は、ホーム画面（図５（Ａ））をディスプレイ２１１に表示し、Ｓ８０２へ進む。
Ｓ８０２にて、ＣＰＵ２０１は、ユーザが、モバイルポータルボタン５３８又はモバイルポータルボタン５４８を選択するのを待つ。より具体的には、ＣＰＵ２０１は、ユーザがスキャンボタン５１３、Ｅメールボタン５２３、モバイルポータルボタン５３８の順番でボタンを選択したときにこのループを抜ける。又は、ＣＰＵ２０１は、ユーザがスキャンボタン５１３、Ｉファクスボタン５２４、モバイルポータルボタン５４８の順番でボタンを選択したときにこのループを抜ける。モバイルポータルボタン５３８又はモバイルポータルボタン５４８が選択されると、ＣＰＵ２０１は、Ｓ８０３へ進む。
Ｓ８０３にて、ＣＰＵ２０１は、モバイルポータル画面（図５（Ｅ））を表示する前の画面を記憶する。モバイルポータルボタン５３８が選択された場合は、Ｅメール送信画面が記憶され、モバイルポータルボタン５４８が選択された場合は、Ｉファクス画面が記憶される。記憶された情報はＲＡＭ２０３に保持される。呼び出し画面を記憶すると、ＣＰＵ２０１は、Ｓ８０４へ進む。読み出し画面は、画面遷移の情報の一例である。
Ｓ８０４にて、ＣＰＵ２０１は、Ｗｉ−Ｆｉダイレクト接続に必要なＳＳＩＤとキーとを生成した後、モバイルポータル画面（図５（Ｅ））を表示し、Ｓ８０５へ進む。
【００２６】
Ｓ８０５にて、ＣＰＵ２０１は、ユーザが画像形成装置１０２のＮＦＣリーダライタ２０４にモバイル端末１０１をタッチするのを待つ。ＣＰＵ２０１は、ユーザが画像形成装置１０２のＮＦＣリーダライタ２０４にモバイル端末１０１をタッチしたと判定するとＳ８０６に進む。
Ｓ８０６にて、ＣＰＵ２０１は、モバイル端末１０１との間でＷｉ−Ｆｉダイレクト接続による無線通信を確立し、Ｓ８０７へ進む。
Ｓ８０７にて、ＣＰＵ２０１は、モバイル端末１０１から送信設定を受信するのを待つ。ＣＰＵ２０１は、モバイル端末１０１から送信設定を受信したと判定すると、Ｓ８０８へ進む。
Ｓ８０８にて、ＣＰＵ２０１は、送信設定から宛先情報を取得しＳ８０９へ進む。なお、本実施形態では、宛先情報は、ユーザが図４（Ａ）で設定したＴｏ宛先（宛先表示部４０１）とＣｃ宛先（宛先表示部４０３）との情報である。
Ｓ８０９にて、ＣＰＵ２０１は、送信アドレスの保存設定（図５（Ｆ））で設定された保存方法を取得する。ＣＰＵ２０１は、取得した保存方法をＲＡＭ２０３に保持して、Ｓ８１０へ進む。
Ｓ８１０にて、ＣＰＵ２０１は、Ｓ８０９で記憶した保存方法を読み出し、「しない」であるか否かを判定する。ＣＰＵ２０１は、保存方法が「しない」であると判定した場合はＳ８２２に進み、保存方法が「しない」でないと判定した場合はＳ８１１に進む。
【００２７】
Ｓ８１１〜Ｓ８２１は、Ｓ８０８で取得した宛先情報毎に実施されるループである。また、Ｓ８２１は、Ｓ８１１〜Ｓ８２１のループのブレイク条件である。
Ｓ８１１にて、ＣＰＵ２０１は、宛先情報のアドレスが画像形成装置１０２のアドレス帳に登録済か否かを判定する。ＣＰＵ２０１は、未登録であると判定すると、Ｓ８１２に進み、そうでないと判定すると、Ｓ８２１へ進む。
Ｓ８１２にて、ＣＰＵ２０１は、Ｓ８０９で記憶した保存方法を読み出し、「自動」であるか否かを判定する。ＣＰＵ２０１は、保存方法が「自動」であると判定した場合はＳ８１３に進み、保存方法が「自動」でないと判定した場合はＳ８１６に進む。
Ｓ８１３にて、ＣＰＵ２０１は、Ｓ８０３で記憶した「呼び出し画面」の情報を読み出し、「Ｅメール送信画面」であるか否かを判定する。ＣＰＵ２０１は、「呼び出し画面」の情報が「Ｅメール送信画面」であると判定した場合はＳ８１４に進み、「呼び出し画面」の情報が「Ｅメール送信画面」でないと判定した場合はＳ８１５に進む。ここで、「呼び出し画面」の情報が「Ｅメール送信画面」であるとは、Ｅメール送信画面からモバイルポータル画面に遷移したことを示している。また、「呼び出し画面」の情報が「Ｅメール送信画面」でないとは、Ｉファクス送信画面からモバイルポータル画面に遷移したことを示している。
Ｓ８１４にて、ＣＰＵ２０１は、画像形成装置１０２のアドレス帳データ（図６（Ｂ））からアドレスが未登録の番号を選択する。そして、ＣＰＵ２０１は、選択した番号のアドレス種別にＥメールを設定する。更に、ＣＰＵ２０１は、選択した番号の名称に宛先情報の名称を設定する。また、ＣＰＵ２０１は、選択した番号のアドレスに宛先情報のアドレスを設定する。アドレス登録が完了すると、ＣＰＵ２０１は、Ｓ８２１に進む。
Ｓ８１５にて、ＣＰＵ２０１は、画像形成装置１０２のアドレス帳データ（図６（Ｂ））からアドレスが未登録の番号を選択する。そして、選択した番号のアドレス種別にＩファクスを設定する。更に、ＣＰＵ２０１は、選択した番号の名称に宛先情報の名称を設定する。また、ＣＰＵ２０１は、選択した番号のアドレスに宛先情報のアドレスを設定する。アドレス登録が完了すると、ＣＰＵ２０１は、Ｓ８２１に進む。
【００２８】
Ｓ８１６にて、ＣＰＵ２０１は、Ｓ８０３で記憶した「呼び出し画面」の情報を読み出し、「Ｅメール送信画面」であるか否かを判定する。ＣＰＵ２０１は、「呼び出し画面」の情報が「Ｅメール送信画面」であると判定した場合はＳ８１７に進み、「呼び出し画面」の情報が「Ｅメール送信画面」でないと判定した場合はＳ８１８に進む。
Ｓ８１７にて、ＣＰＵ２０１は、送信アドレスの保存画面５７０を表示する。このとき、ＣＰＵ２０１は、アドレス種別領域５７１にはＥメールを、名称領域５７２には宛先情報の名称を、アドレス領域５７３には宛先情報のアドレスを表示する。また、ＣＰＵ２０１は、番号領域５７４には画像形成装置１０２のアドレス帳データ（図６（Ｂ））にアドレスが未登録の番号を表示する。例えば、Ｔｏ宛先の登録を行う場合は、図５（Ｇ）のように表示される。送信アドレスの保存画面５７０を表示すると、ＣＰＵ２０１は、Ｓ８１９に進む。
Ｓ８１８にて、ＣＰＵ２０１は、送信アドレスの保存画面５７０を表示する。このとき、ＣＰＵ２０１は、アドレス種別領域５７１にはＩファクスを、名称領域５７２には宛先情報の名称を、アドレス領域５７３には宛先情報のアドレスを表示する。また、ＣＰＵ２０１は、番号領域５７４には画像形成装置１０２のアドレス帳データ（図６（Ｂ））にアドレスが未登録の番号を表示する。送信アドレスの保存画面５７０を表示すると、ＣＰＵ２０１は、Ｓ８１９に進む。
Ｓ８１９にて、ＣＰＵ２０１は、ユーザが登録ボタン５７６を選択したかを判定する。ＣＰＵ２０１は、ユーザが登録ボタン５７６を選択したと判定した場合、Ｓ８２０に進み、ユーザがキャンセルボタン５７５を選択したと判定した場合はＳ８２１に進む。
Ｓ８２０にて、ＣＰＵ２０１は、送信アドレスの保存画面５７０に表示したアドレス情報を画像形成装置１０２のアドレス帳データ（図６（Ｂ））に登録する。登録が完了すると、ＣＰＵ２０１は、Ｓ８２１に進む。
Ｓ８２１にて、ＣＰＵ２０１は、宛先情報に含まれるすべてのアドレスに対して、Ｓ８１１〜Ｓ８２１の処理を行ったと判定すると、Ｓ８２２に進み、そうでないと判定した場合は、Ｓ８１１に戻る。
【００２９】
Ｓ８２２にて、ＣＰＵ２０１は、Ｓ８０３で記憶した「呼び出し画面」の情報をＲＡＭ２０３から取得する。「呼び出し画面」の情報がＥメール送信画面であれば、ＣＰＵ２０１は、モバイル端末１０１から受信した送信設定（Ｔｏ宛先、ＣＣ宛先、件名、ファイル名、本文）をＥメール送信画面（図５（Ｃ））に設定しディスプレイ２１１に表示する。「呼び出し画面」の情報がＩファクス送信画面であれば、ＣＰＵ２０１は、モバイル端末１０１から受信した送信設定（Ｔｏ宛先、ＣＣ宛先、件名、ファイル名、本文）をＩファクス送信画面（図５（Ｄ））に設定しディスプレイ２１１に表示する。続いて、ＣＰＵ２０１は、送信設定を設定完了したことと、画像形成装置のアドレス帳に登録した宛先情報とをモバイル端末１０１に通知し、Ｓ８１５に進む。
Ｓ８２３にて、ＣＰＵ２０１は、ユーザが送信開始を実行するのを待つ。より具体的には、ＣＰＵ２０１は、Ｅメール送信画面（図５（Ｃ））を表示している場合は、白黒スタートボタン５３６又はカラースタートボタン５３７が選択されるのを待つ。また、ＣＰＵ２０１は、Ｉファクス送信画面（図５（Ｄ））を表示している場合は、白黒スタートボタン５４６が選択されるのを待つ。白黒スタートボタン５３６、カラースタートボタン５３７、白黒スタートボタン５４６の何れかが選択されると、ＣＰＵ２０１は、Ｓ８２４に進む。
Ｓ８２４にて、ＣＰＵ２０１は、スキャナ２１５を使って原稿を読み込んで電子データを生成する。そして、ＣＰＵ２０１は、ユーザが指定した宛先に電子データを送信し、処理を終了する。ＣＰＵ２０１は、電子メールの件名、本文をＳ８２２でなされた設定に基づき決定する。また、電子データのファイル名も、Ｓ８２２でなされた設定に基づき決定する。Ｓ８２４の処理は、画像を処理した結果のデータを送信先のアドレスに送信する処理の一例である。
【００３０】
画像形成装置１０２の処理について補足説明する。本実施形態では、モバイル端末１０１から受信する顧客１のアドレス（ｃｕｓｔｏｍｅｒ１＠ｅｘａｍｐｌｅ．ｃｏｍ）と、上司のアドレス（ｂｏｓｓ＠ｅｘａｍｐｌｅ．ｃｏｍ）とは画像形成装置１０２のアドレス帳に登録されていない。そのため、２つのアドレスが画像形成装置１０２のアドレス帳データ（図６（Ｂ））に登録される。
アドレス種別は、Ｓ８０３で記憶した「呼び出し画面」の情報により異なる。「呼び出し画面」の情報がＥメール送信画面であれば、図９（Ａ）のように登録される。また、「呼び出し画面」の情報がＩファクス送信画面であれば、図９（Ｂ）のように登録される。
本実施形態においては、画像形成装置１０２のアドレス帳に登録した送信先をモバイル端末１０１に表示したが、画像形成装置１０２のディスプレイ２１１にも表示してもよい。
なお、図８ではモバイル端末１０１から受信するアドレスがＥメールアドレスの場合を代表して説明したが、これに限定されるものではない。モバイル端末１０１から受信したアドレスが電話番号の場合、画像形成装置１０２は、アドレス帳にファクシミリ宛先を登録できるようにすることもできる。この場合、登録先の種別は「ファクシミリ」となり、ファクシミリの送信宛先を画像形成装置１０２のアドレス帳に登録することができる。
受信したアドレスが電話番号の場合、ＣＰＵ２０１は、Ｓ８１３、やＳ８１６の判定処理に代えてファクシミリの送信画面に遷移するよう制御する。また、登録処理としては、ファクシミリの送信先としてアドレス帳に登録するようにすればよい。
また、Ｓ８２２の設定処理においては、モバイル端末１０１から受信した送信設定（Ｔｏ宛先、ＣＣ宛先、件名、ファイル名、本文）に基づき、ファクシミリの送信設定に反映するようにすればよい。この場合、件名、ファイル名、本文等はファクシミリのカバーシートの設定として使用される。更に、ＣＰＵ２０１は、Ｓ８２４の処理では、Ｅメール送信に代えて、ファクシミリ送信を行うものとする。より具体的には、ＣＰＵ２０１は、Ｓ８２２で設定された件名、ファイル名、本文や画像形成装置１０２自身の電話番号を用いてファクシミリのカバーシートを作成する。続けて、ＣＰＵ２０１は、当該カバーシートと、原稿を読み込んで得られた電子データをファクシミリ通信で相手先のファクス装置に送信する。
【００３１】
以上の処理により、ユーザがモバイル端末１０１から画像形成装置１０２に送信先を設定するついでに、送信先のアドレスが画像形成装置１０２のアドレス帳に登録される。したがって、ユーザがアドレス帳に送信先を登録する手間を軽減することができる。また、モバイル端末１０１に保持していない送信種別情報が自動的に補完されて画像形成装置１０２のアドレス帳に登録される。
【００３２】
＜実施形態２＞
実施形態１では、画像形成装置１０２のアドレス帳に登録したいアドレスを画像形成装置１０２で決定する方法について説明した。実施形態２では、画像形成装置１０２のアドレス帳に登録したいアドレスをモバイル端末１０１で決定する方法について説明する。
図１０は、モバイル端末１０１の送信設定画面を示す図である。４０１〜４０８は実施形態１において説明済である。
チェックボックス１００１は、Ｔｏ宛先の送信先を画像形成装置１０２のアドレス帳に登録するか否かを指定するチェックボックスである。また、チェックボックス１００２は、Ｃｃ宛先の送信先を画像形成装置１０２のアドレス帳に登録するか否かを指定するチェックボックスである。ユーザは、画像形成装置１０２のアドレス帳にアドレスを登録したい場合はチェック印を付ける。
【００３３】
図１１と図１２とは実施形態２の情報処理を説明するフローチャートである。
図１１は、モバイル端末１０１の情報処理の一例を示すフローチャートである。図１１のフローチャートを実行するプログラムはＲＯＭ３０８に格納されている。ＣＰＵ３０７がＲＯＭ３０８に格納されているプログラムを実行することにより、本フローチャートの処理が実行される。図１１のフローチャートは、図７のフローチャートとほぼ同様である。したがって、図１１のフローチャートの説明は、図７のフローチャートと異なる部分であるＳ１１０１とＳ１１０６とを説明する。
Ｓ１１０１にて、ＣＰＵ３０７は、送信設定画面（図１０）を操作パネル３０１に表示する。４０１〜４０８の設定はＳ７０１と同様であるので説明を省略する。ユーザは、チェックボックス１００１とチェックボックス１００２との設定を行う。例えば、Ｔｏ宛先の顧客１＜ｃｕｓｔｏｍｅｒ１＠ｅｘａｍｐｌｅ．ｃｏｍ＞はアドレス帳への登録を指定し、Ｃｃ宛先の上司＜ｂｏｓｓ＠ｅｘａｍｐｌｅ．ｃｏｍ＞は登録しないよう設定したい場合は図１０のように設定する。より具体的には、ユーザはチェックボックス１００１にチェック印をつけ、チェックボックス１００２にはチェック印を付けない。ＣＰＵ３０７は、ユーザによるチェックボックスの設定等を入力する。入力が終わると、ＣＰＵ３０７は、Ｓ７０２に進む。
Ｓ７０２〜Ｓ７０５は実施形態１で説明済であるため説明を省略する。
【００３４】
Ｓ１１０６にて、ＣＰＵ３０７は、Ｓ１１０１でユーザが設定した送信設定と登録情報とを画像形成装置１０２に送信する。送信設定は、Ｔｏ宛先、Ｃｃ宛先、件名、ファイル名、本文を含む。より具体的には、Ｔｏ宛先は「顧客１＜ｃｕｓｔｏｍｅｒ１＠ｅｘａｍｐｌｅ．ｃｏｍ＞」である。Ｃｃ宛先は「上司＜ｂｏｓｓ＠ｅｘａｍｐｌｅ．ｃｏｍ＞」である。件名は「資料送付します」である。ファイル名は「資料」である。本文は「打ち合わせの資料を送ります」である。登録情報は、チェックボックス１００１とチェックボックス１００２とのチェック情報が反映された情報であればどのような情報でもよい。本実施形態では、フラグ情報であるとし、「顧客１＜ｃｕｓｔｏｍｅｒ１＠ｅｘａｍｐｌｅ．ｃｏｍ＞」は登録フラグＯＮ、「上司＜ｂｏｓｓ＠ｅｘａｍｐｌｅ．ｃｏｍ＞」は登録フラグＯＦＦとして設定されている。ＣＰＵ３０７は、チェックボックス１００１とチェックボックス１００２とのチェック情報から登録情報を生成し、送信設定と登録情報とを画像形成装置１０２に送信する。送信が完了すると、ＣＰＵ３０７は、Ｓ７０７に進む。
Ｓ７０７〜Ｓ７０８は実施形態１で説明済であるため説明を省略する。
【００３５】
図１２は、画像形成装置１０２の情報処理の一例を示すフローチャートである。図１２のフローチャートを実行するプログラムは画像形成装置１０２のＲＯＭ２０２に格納されている。図１２のフローチャートは、図８のフローチャートとほぼ同様である。したがって、図１２のフローチャートの説明は、図８のフローチャートと異なる部分であるＳ１２０７、Ｓ１２０８、Ｓ１２０６を説明する。
Ｓ８０１〜Ｓ８０６は実施形態１で説明済であるため説明を省略する。
Ｓ１２０７にて、ＣＰＵ２０１は、モバイル端末１０１から送信設定と登録情報とを受信するのを待つ。ＣＰＵ２０１は、モバイル端末１０１から送信設定と登録情報とを受信した場合、Ｓ１２０８へ進む。
Ｓ１２０８にて、ＣＰＵ２０１は、送信設定の宛先情報、及び登録情報を取得し、Ｓ８０９へ進む。本実施形態では、宛先情報はＳ１１０１でユーザが設定し、ＣＰＵ３０７が受け取ったＴｏ宛先とＣｃ宛先とである。登録情報はＳ１１０６でＣＰＵ３０７が生成した登録情報である。
Ｓ８０９〜Ｓ８１０は実施形態１で説明済であるため説明を省略する。
Ｓ１２１１にて、ＣＰＵ２０１は、宛先情報のアドレスが画像形成装置１０２のアドレス帳に未登録であること、及び、登録情報において登録フラグがＯＮになっているかを判定する。ＣＰＵ２０１は、宛先情報のアドレスが画像形成装置１０２のアドレス帳に登録されておらず、かつ、登録情報において登録フラグがＯＮになっている場合はＳ８１２に進み、そうでない場合はＳ８２１へ進む。
Ｓ８１２〜Ｓ８２４は実施形態１で説明済であるため説明を省略する。
【００３６】
本実施形態によれば、実施形態１の効果に加え、画像形成装置１０２のアドレス帳に登録するアドレスを、ユーザがモバイル端末１０１の操作により選択できる効果がある。
【００３７】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００３８】
以上、本発明の実施形態の一例について詳述したが、本発明は係る特定の実施形態に限定されるものではない。
例えば、画像形成装置１０２のハードウェア構成としてＣＰＵ、ＲＯＭ、ＲＡＭ、ＨＤＤ等は１つである必要はない。複数のＣＰＵがプログラムに基づき、複数のＲＡＭ、ＲＯＭ、ＨＤＤ等に記憶されたデータ等を用いながら処理を実行するようにしてもよい。また、ＣＰＵに替えてＧＰＵ（Ｇｒａｐｈｉｃｓ  Ｐｒｏｃｅｓｓｉｎｇ  Ｕｎｉｔ）を用いることとしてもよい。
【００３９】
以上、上述した各実施形態によれば、ユーザのアドレス登録の手間を軽減することができる。また、モバイル端末に保持していない送信種別（Ｅメール、Ｉファクス等の送信手段）情報が自動的に補完されて画像形成装置のアドレス帳に登録される。
【符号の説明】
【００４０】
１０１  モバイル端末
１０２  画像形成装置
【図１】
2019213087.tif 000003
【図２】
2019213087.tif 000004
【図３】
2019213087.tif 000005
【図４】
2019213087.tif 000006
【図５】
2019213087.tif 000007
【図６】
2019213087.tif 000008
【図７】
2019213087.tif 000009
【図８】
2019213087.tif 000010
【図９】
2019213087.tif 000011
【図１０】
2019213087.tif 000012
【図１１】
2019213087.tif 000013
【図１２】
2019213087.tif 000014